(57)【要約】【課題】洗浄力を向上させることができる吐水装置を提供することを目的とする。【解決手段】水を供給する第１給水部と、前記第１給水部から供給された水により内周面に沿って旋回する水流が内部に形成される旋回室と、前記旋回室に供給された水を導入し先端から吐水可能な吐水流路を内部に有し、前記水流の力を受けて前記旋回室内において旋回運動可能な旋回部材と、を備え、前記旋回部材から吐水を開始する際に、前記第１給水部から前記旋回室に供給された水により前記旋回部材の前記旋回運動を開始させた後、前記第１給水部から前記旋回室に供給する水の流量を減少させることを特徴とする吐水装置が提供される。【選択図】図２
2011074674.tif 000002
【特許請求の範囲】
【請求項１】
水を供給する第１給水部と、
前記第１給水部から供給された水により内周面に沿って旋回する水流が内部に形成される旋回室と、
前記旋回室に供給された水を導入し先端から吐水可能な吐水流路を内部に有し、前記水流の力を受けて前記旋回室内において旋回運動可能な旋回部材と、
を備え、
前記旋回部材から吐水を開始する際に、前記第１給水部から前記旋回室に供給された水により前記旋回部材の前記旋回運動を開始させた後、前記第１給水部から前記旋回室に供給する水の流量を減少させることを特徴とする吐水装置。
【請求項２】
前記第１給水部に供給する水の流量を調整する流量調整手段と、
前記流量調整手段を制御することにより、前記第１給水部に供給する水の流量を制御する制御部と、
をさらに備え、
前記制御部は、前記第１給水部から前記旋回室に水を供給して所定時間が経過した後、あるいは所定工程を実行した後、前記流量調整手段を制御することにより前記第１給水部から前記旋回室に供給する水の流量を減少させることを特徴とする請求項１記載の吐水装置。
【請求項３】
前記旋回室に水を供給する第２給水部と、
前記第１給水部に供給する水の流量と、前記第２給水部に供給する水の流量と、をそれぞれ調整する流量調整手段と、
前記流量調整手段を制御することにより、前記第１給水部および第２給水部に供給する水の流量をそれぞれ制御する制御部と、
をさらに備え、
前記制御部は、前記流量調整手段を制御し、前記第１給水部からの水の一部を前記第２給水部に供給することにより、前記第１給水部から前記旋回室に供給する水の流量を減少させることを特徴とする請求項１記載の吐水装置。
【請求項４】
前記制御部は、前記旋回部材から吐水を開始する際に、前記流量調整手段を制御することにより前記旋回室に供給する水の流量を時間経過とともに増加させるソフトスタートを実行し、前記ソフトスタートを終了させた後、前記第１給水部から前記旋回室に供給する水の流量を減少させることを特徴とする請求項２または３に記載の吐水装置。
【発明の詳細な説明】
【技術分野】
【０００１】
本発明の態様は、一般的に、吐水装置に関し、具体的には供給された水の吐水方向（吐水軌跡）を変化させながら吐水する吐水装置に関する。
【背景技術】
【０００２】
例えば、人体の局部を洗浄する吐水装置として、少ない水量であっても局部洗浄を行う際の洗浄感を向上させることができたり、広範囲の洗浄を図ることができる吐水装置がある（特許文献１）。特許文献１に記載された吐水装置は、供給された洗浄水から運動エネルギーを受けて吐水ノズルの内部で旋回（首振り公転）する旋回部材（吐水体）を有する。
【０００３】
また、旋回部材に運動エネルギーを付与してその旋回部材を旋回させる給水部と、吐水量を調整する給水部と、を有する吐水装置がある（特許文献２）。特許文献２に記載された吐水装置によれば、旋回部材の公転周波数と、水の流量と、を独立して制御することができる。
【０００４】
しかしながら、特許文献１および２に記載された吐水装置は、比較的少ない流量で局部洗浄を行う節水タイプの装置であるため、洗浄力が比較的弱い場合がある。これに対して、洗浄力を向上させるためには、旋回部材の旋回周波数を下げることが有効である。そして、旋回周波数を下げるためには、供給する水の流量をより少なくすることが有効である。しかしながら、供給する水の流量をより少なくすると、旋回部材が旋回しないおそれがあり、洗浄範囲が狭くなるおそれがある。
【先行技術文献】
【特許文献】
【０００５】
【特許文献１】特許第３５１８５４２号公報
【特許文献２】特開２００８−８０８４号公報
【発明の概要】
【発明が解決しようとする課題】
【０００６】
本発明は、かかる課題の認識に基づいてなされたものであり、洗浄力を向上させることができる吐水装置を提供することを目的とする。
【課題を解決するための手段】
【０００７】
第１の発明は、水を供給する第１給水部と、前記第１給水部から供給された水により内周面に沿って旋回する水流が内部に形成される旋回室と、前記旋回室に供給された水を導入し先端から吐水可能な吐水流路を内部に有し、前記水流の力を受けて前記旋回室内において旋回運動可能な旋回部材と、を備え、前記旋回部材から吐水を開始する際に、前記第１給水部から前記旋回室に供給された水により前記旋回部材の前記旋回運動を開始させた後、前記第１給水部から前記旋回室に供給する水の流量を減少させることを特徴とする吐水装置である。  
この吐水装置によれば、第１給水部から旋回室に供給した水により旋回部材の旋回運動を開始させた後に、第１給水部から旋回室に供給する水の流量を減少させる。そのため、旋回部材の公転周波数を小さくすることができ、洗浄力を向上させることができる。
【０００８】
また、第２の発明は、第１の発明において、前記第１給水部に供給する水の流量を調整する流量調整手段と、前記流量調整手段を制御することにより、前記第１給水部に供給する水の流量を制御する制御部と、をさらに備え、前記制御部は、前記第１給水部から前記旋回室に水を供給して所定時間が経過した後、あるいは所定工程を実行した後、前記流量調整手段を制御することにより前記第１給水部から前記旋回室に供給する水の流量を減少させることを特徴とする吐水装置である。  
この吐水装置によれば、制御部は、第１給水部から水を供給して所定時間が経過した後、あるいは所定工程を実行した後、流量調整手段を制御することにより第１給水部から供給する水の流量を減少させる。これにより、旋回部材の公転周波数を自動的に小さくすることができるため、洗浄力を向上させることができる。
【０００９】
また、第３の発明は、第１の発明において、前記旋回室に水を供給する第２給水部と、前記第１給水部に供給する水の流量と、前記第２給水部に供給する水の流量と、をそれぞれ調整する流量調整手段と、前記流量調整手段を制御することにより、前記第１給水部および第２給水部に供給する水の流量をそれぞれ制御する制御部と、をさらに備え、前記制御部は、前記流量調整手段を制御し、前記第１給水部からの水の一部を前記第２給水部に供給することにより、前記第１給水部から前記旋回室に供給する水の流量を減少させることを特徴とする吐水装置である。  
この吐水装置によれば、第１給水部から供給する水の一部を、旋回流の形成に対する寄与度が第１給水部よりも低い第２給水部に供給するため、旋回部材の公転周波数を小さくしつつ、旋回部材から吐水される水の流量あるいは水勢を変化させることなく維持することができる。すなわち、旋回部材から吐水される水の流量あるいは水勢を維持しつつ、旋回部材の公転周波数をより小さくして洗浄力を向上させることができる。
【００１０】
また、第４の発明は、第２または第３の発明において、前記制御部は、前記旋回部材から吐水を開始する際に、前記流量調整手段を制御することにより前記旋回室に供給する水の流量を時間経過とともに増加させるソフトスタートを実行し、前記ソフトスタートを終了させた後、前記第１給水部から前記旋回室に供給する水の流量を減少させることを特徴とする吐水装置である。  
この吐水装置によれば、旋回室に供給される水の流量が設定流量に到達した後に、第１給水部から供給する水の流量を減少させるため、より確実に旋回部材を旋回運動させることができる。また、ソフトスタートにより洗浄力を徐々に増加させることができ、さらに、第１給水部から供給する水の流量を減少させて旋回部材の公転周波数を小さくすることにより洗浄力を向上させることができる。
【発明の効果】
【００１１】
本発明の態様によれば、洗浄力を向上させることができる吐水装置が提供される。
【図面の簡単な説明】
【００１２】
【図１】本発明の第１の実施の形態にかかる吐水装置を備えたトイレ装置を例示する斜視模式図である。
【図２】本実施形態にかかる衛生洗浄装置の要部構成を例示するブロック図である。
【図３】本実施形態の変形例にかかる衛生洗浄装置の要部構成を例示するブロック図である。
【図４】本実施形態の吐水ノズルを表す平面模式図である。
【図５】本実施形態の吐水ノズルを側方から眺めた平面模式図である。
【図６】本実施形態の吐水ノズルの内部構造を表す断面模式図である。
【図７】旋回室およびこの内部に収容された旋回部材（大径部）を平面方向から眺めた模式図である。
【図８】旋回室およびこの内部に収容された旋回部材（大径部）を平面方向から眺めた模式図である。
【図９】旋回室およびこの内部に収容された旋回部材（大径部）を平面方向から眺めた模式図である。
【図１０】旋回部材の公転周波数と洗浄力との関係を例示するグラフ図である。
【図１１】本実施形態にかかる衛生洗浄装置の動作の具体例を例示するタイムチャートである。
【図１２】本発明の第２の実施の形態にかかる衛生洗浄装置の要部構成を例示するブロック図である。
【図１３】本実施形態の吐水ノズルを側方から眺めた平面模式図である。
【図１４】本実施形態の吐水ノズルの内部構造を表す断面模式図である。
【図１５】本実施形態の吐水ノズルの内部構造の変形例を表す断面模式図である。
【図１６】本実施形態の吐水ノズルの内部構造を表す断面模式図である。
【図１７】本実施形態にかかる衛生洗浄装置の動作の具体例を例示するタイムチャートである。
【図１８】本実施形態にかかる衛生洗浄装置の動作の他の具体例を例示するタイムチャートである。
【図１９】本実施形態にかかる衛生洗浄装置の動作のさらに他の具体例を例示するタイムチャートである。
【発明を実施するための形態】
【００１３】
以下、本発明の実施の形態について図面を参照しつつ説明する。なお、各図面中、同様の構成要素には同一の符号を付して詳細な説明は適宜省略する。  
図１は、本発明の第１の実施の形態にかかる吐水装置を備えたトイレ装置を例示する斜視模式図である。
【００１４】
図１に表したトイレ装置は、洋式腰掛便器（以下説明の便宜上、単に「便器」と称する）８００と、その上に設けられた衛生洗浄装置（吐水装置）１００と、を備える。衛生洗浄装置１００は、ケーシング２００と、便座３００と、便蓋４００と、を有する。便座３００と便蓋４００とは、ケーシング２００に対して開閉自在にそれぞれ軸支されている。
【００１５】
ケーシング２００の内部には、例えば、便座３００に座った使用者の「おしり」などの洗浄を実現する局部洗浄機能部などが内蔵されている。また、ケーシング２００の上部には、使用者が便座に座ったことを検知する着座センサ２０１が設けられている。着座センサ２０１が便座３００に座った使用者を検知している場合において、使用者が例えばリモコンなどの操作部５００を操作すると、吐水ノズル２５０を便器８００のボウル８０１内に進出させることができる。吐水ノズル２５０の先端部には、ひとつあるいは複数の図示しない吐水口が設けられている。なお、図１に表したトイレ装置では、吐水ノズル２５０がボウル８０１内に進出した状態を表している。
【００１６】
続いて、吐水ノズル２５０は、その先端部に設けられた吐水口から水を噴射して、便座３００に座った使用者の「おしり」などを洗浄することができる。なお、本願明細書において「水」という場合には、冷水のみならず、加熱されたお湯も含むものとする。
【００１７】
また、ケーシング２００には、トイレ室に入室した使用者を検知する入室検知センサが設けられていてもよい。またさらに、ケーシング２００の内部には、便座３００に座った使用者の「おしり」などに向けて温風を吹き付けて乾燥させる「温風乾燥機能」や「脱臭ユニット」や「室内暖房ユニット」などの各種の機構が適宜設けられていてもよい。
【００１８】
なお、本発明の吐水装置は、例えば、シャワー装置や、キッチンの水栓装置や、食器洗浄装置や、半導体洗浄装置などの産業用洗浄装置などとして利用可能である。以下では、説明の便宜上、本発明の吐水装置が便座３００に座った使用者の「おしり」などを洗浄可能な衛生洗浄装置として利用される場合を例に挙げて説明する。
【００１９】
図２は、本実施形態にかかる衛生洗浄装置の要部構成を例示するブロック図である。  
また、図３は、本実施形態の変形例にかかる衛生洗浄装置の要部構成を例示するブロック図である。
【００２０】
本実施形態にかかる衛生洗浄装置１００は、給水源から給水された水を吐水ノズル２５０に供給する流路を備える。流路の上流側には、まず、給水ユニット（電磁弁）２２０が設けられている。給水ユニット２２０は、好ましくはノーマリクローズすなわち非通電時において閉状態となる電磁バルブであり、制御部２１０からの指令に基づいて下流側への水の供給を制御する。
【００２１】
給水ユニット２２０の下流側には、熱交換器２３０が設けられている。熱交換器２３０は、制御部２１０からの制御信号を受信し、供給された水を操作部５００により適宜設定された所定の温水にすることができる。
【００２２】
また、熱交換器２３０の下流側には、流量調整切換弁（流量調整手段）２４０が設けられている。流量調整切換弁２４０は、下流側に設けられた第１給水部２５１に供給する水の流量や水勢を調整することができる。なお、第１給水部２５１は、後に詳述するが、吐水ノズル２５０の内部に設けられている。また、前述したように、吐水ノズル２５０の先端部に複数の吐水口が設けられている場合には、流量調整切換弁２４０は、それぞれの吐水口に水を導く流路を切り換えたり、それぞれの吐水口から吐水する水の流量や水勢を調整することができる。
【００２３】
なお、本実施形態にかかる衛生洗浄装置１００の要部構成は、これだけに限定されるわけではない。例えば、図３に表した変形例にかかる衛生洗浄装置１００ａのように、熱交換器２３０の下流側には、流調弁２８０と、流路・流量比切換弁（流量調整手段）２９０と、が設けられていてもよい。流調弁２８０は、吐水ノズル２５０に供給する水の流量や水勢を調整することができる。また、流路・流量比切換弁２９０は、吐水ノズル２５０の先端部に設けられた複数の吐水口のそれぞれに水を導く流路を切り換えたり、それぞれの吐水口から吐水する水の流量や水勢を調整することができる。つまり、互いに別体として設けられた流調弁２８０および流路・流量比切換弁２９０が、図２に表した流量調整切換弁２４０の機能を有していてもよい。
【００２４】
図４は、本実施形態の吐水ノズルを表す平面模式図である。  
また、図５は、本実施形態の吐水ノズルを側方から眺めた平面模式図である。  
なお、図４（ａ）は、本実施形態の吐水ノズルを上方から眺めた平面模式図であり、図４（ｂ）は、本実施形態の吐水ノズルを図４（ａ）に表した矢視Ｃの方向に眺めた平面模式図である。  
また、図５は、本実施形態の吐水ノズルを図４（ｂ）に表した矢視Ｄの方向に眺めた平面模式図である。
【００２５】
本実施形態の吐水ノズル２５０は、複数の吐水口２５６、２５７、２５８を先端部に有する。吐水口２５６は、例えば「おしり洗浄」が実行された場合に水が噴射する吐水口である。また、吐水口２５７は、例えば「やわらか洗浄」が実行された場合に水が噴射する吐水口である。また、吐水口２５８は、例えば「ビデ洗浄」が実行された場合に水が噴射する吐水口である。
【００２６】
また、吐水ノズル２５０の内部には、図５に表したように、吐水口２５６、２５７、２５８にそれぞれ接続された第１給水部２５１および流路２５３、２５４が設けられている。そして、「おしり洗浄」が実行される場合には、熱交換器２３０から流出した水は、流量調整切換弁２４０を介して第１給水部２５１内に導かれ、吐水口２５６から噴射される。また、「やわらか洗浄」が実行される場合には、熱交換器２３０から流出した水は、流量調整切換弁２４０を介して流路２５３内に導かれ、吐水口２５７から噴射される。また、「ビデ洗浄」が実行される場合には、熱交換器２３０から流出した水は、流量調整切換弁２４０を介して流路２５４内に導かれ、吐水口２５８から噴射される。
【００２７】
図６は、本実施形態の吐水ノズルの内部構造を表す断面模式図である。  
なお、図６は、図４（ａ）に表した吐水ノズルのＡ−Ａ断面図である。また、図６（ａ）は、旋回部材と旋回室との中心軸が互いに一致している状態を表しており、図６（ｂ）は、旋回部材と旋回室との中心軸が互いに一致していない状態を表している。
【００２８】
本実施形態の吐水ノズル２５０は、図６（ａ）および（ｂ）に表したように、内部に孔が形成された構造を有する。そして、吐水ノズル２５０の内部には、旋回室２５９が形成されている。旋回室２５９の一端には、図４および図５に関して前述したように、旋回室２５９の内部と外部とを連通する吐水口２５６が設けられている。また、旋回室２５９の上端部には、例えば弾性を有する把持部２７０が設けられている。
【００２９】
旋回室２５９の側壁（内周面）２５９ａ（図７〜図９参照）には、図示しない流入孔が形成されている。流入孔は、第１給水部２５１に接続されている。そして、熱交換器２３０から流量調整切換弁２４０を介して第１給水部２５１に導かれた水（洗浄水）は、その流入孔を介して旋回室２５９に対して接線方向から流入する。その結果、旋回室２５９の内部には、水の旋回流が形成される。これについては、後に詳述する。
【００３０】
また、吐水ノズル２５０の内部、すなわち旋回室２５９の内部には、図６（ａ）および（ｂ）に表したように、旋回部材２６０が設けられている。旋回部材２６０は、大径部２６１と縮径部２６３とを有する概略ボトル形状に形成されている。大径部２６１の外径寸法は、旋回室２５９の側壁２５９ａの内径寸法よりも小さく、大径部２６１は、旋回室２５９の内部に収容されている。大径部２６１に一体に設けられた縮径部２６３の外径寸法は、吐水口２５６の内径寸法よりも小さく、縮径部２６３は、旋回室２５９の上端部に設けられた把持部２７０に保持されている。このとき、縮径部２６３は、把持部２７０に固定あるいは接着されていなくともよいし、固定あるいは接着されていてもよい。
【００３１】
旋回部材２６０の大径部２６１の周面（側面）には、周方向に等間隔で間欠的に配置された複数の貫通孔２６５が形成されている。そして、旋回室２５９内に流入した水は、それら貫通孔２６５を介して旋回部材２６０の内部に設けられた吐水流路２６６に導かれ、縮径部２６３側の流出孔２６７（先端）から流出可能である。その後、旋回部材２６０の流出孔２６７から流出した水は、吐水ノズル２５０の吐水口２５６から外部に噴射される。
【００３２】
ここで、図６（ａ）に表したように、旋回室２５９の中心軸Ｃ１と、旋回部材２６０の中心軸Ｃ２と、が一致した状態では、旋回室２５９の側壁２５９ａと大径部の外周面との間に隙間が存在する。そして、後に詳述するように、旋回室２５９の内部に形成された水の旋回流の力を受けることで、旋回部材２６０は、図６（ｂ）に表したように、旋回室２５９の中心軸Ｃ１に対して傾きながら、その中心軸Ｃ１のまわりに公転する。なお、本願明細書において、旋回部材２６０が旋回室２５９の中心軸Ｃ１に対して傾きながら、その中心軸Ｃ１のまわりに公転することを「首振り公転」あるいは「旋回運動」と称する。
【００３３】
また、旋回部材２６０が首振り公転しているとき、縮径部２６３を保持している把持部２７０は、図６（ｂ）に表したように、少なくとも一部において伸縮変形する。このように、把持部２７０が伸縮変形することにより、旋回部材２６０は、その先端部すなわち流出孔２６７の近傍を中心として中心軸Ｃ１のまわりに首振り公転する。そのため、把持部２７０は、例えばゴムなどのように弾性を有する材料により形成されることがより好ましい。
【００３４】
このように、旋回部材２６０が中心軸Ｃ１のまわりに首振り公転することにより、流出孔２６７および吐水口２５６から噴射された水は、吐水口２５６の径よりも大きな円状の軌跡を描くように移動する。そのため、本実施形態にかかる衛生洗浄装置１００は、より広範囲をカバーする吐水流を実現することができ、より広範囲を洗浄することができる。
【００３５】
次に、旋回部材２６０の動作および水の流れについて、図面を参照しつつ説明する。  
図７〜図９は、旋回室およびこの内部に収容された旋回部材（大径部）を平面方向から眺めた模式図である。  
なお、図７〜図９は、図６（ａ）に表した吐水ノズルのＥ−Ｅ断面図である。
【００３６】
第１給水部２５１から導かれた水は、旋回室２５９の側壁（内周面）２５９ａに形成された流入孔を介して、断面形状が略円形状の旋回室２５９に対して接線方向からその内部に流入する。これにより、旋回室２５９の内周面２５９ａに沿って旋回する水の流れ（旋回流）が旋回室２５９の内部に形成される（図７（ａ））。旋回室２５９の内部に収容された旋回部材２６０（の大径部２６１）は、旋回流から力（抗力）を受ける。また、旋回部材２６０が旋回流から抗力を受けて動き始めると、旋回部材２６０は僅かに揚力と遠心力とを受ける（図７（ａ））。
【００３７】
そうすると、旋回部材２６０は、図７（ｂ）に表したように、旋回室２５９の中心軸Ｃ１に対して傾きながら、旋回流の方向と同じ方向に旋回室２５９の中心軸Ｃ１のまわりに公転を始める（図７（ｂ））。そして、旋回部材２６０は、旋回流に乗って順次抗力と揚力と遠心力とを受けて、中心軸Ｃ１のまわりに公転する（図８および図９）。
【００３８】
このとき、第１給水部２５１から供給される水の流量がある程度減少した場合であっても、旋回部材２６０は、首振り公転を始めると慣性力により首振り公転し続けることができる。また、第１給水部２５１から供給される水の流量がより減少すると、旋回部材２６０が旋回流から受ける抗力、揚力、および遠心力はより小さくなるため、旋回部材２６０の公転周波数はより小さくなる。すなわち、第１給水部２５１から旋回室２５９の内部に供給される水の流量がより多い場合には、旋回部材２６０の公転周波数はより大きく、第１給水部２５１から旋回室２５９の内部に供給される水の流量がより少ない場合には、旋回部材２６０の公転周波数はより小さい。
【００３９】
図１０は、旋回部材の公転周波数と洗浄力との関係を例示するグラフ図である。  
吐水ノズル２５０の吐水口２５６から吐水された水の洗浄力は、図１０に表したように、旋回部材２６０の公転周波数が所定値よりも大きくなると低下する。これは、旋回部材２６０の公転周波数が比較的大きい場合には、吐水ノズル２５０から吐水された水の着水部における皮膚が変形する前に吐水流が移動してしまい、その皮膚の変形が十分には起こらないためである。一方、旋回部材２６０の公転周波数が比較的小さい場合には、着水部における皮膚が十分に変形するため、吐水ノズル２５０から吐水された水の洗浄力は大きくなる。
【００４０】
本発明者は、実験からも、旋回部材２６０の公転周波数が比較的小さい場合には皮膚の変形がより大きく、旋回部材２６０の公転周波数が比較的大きい場合には皮膚の変形がより小さいことを確認している。また、本発明は、被験者からのヒアリングを実施しており、そのヒアリングの結果からも、旋回部材２６０の公転周波数をより小さくすると洗浄感が増加し、旋回部材２６０の公転周波数をより大きくすると洗浄感が減少する傾向を確認している。
【００４１】
なお、図１０に表した「水勢５」の水勢は、「水勢３」の水勢よりも大きく、そのときの流量は、「水勢３」の流量よりも多い。また、「水勢３」の水勢は、「水勢１」の水勢よりも大きく、そのときの流量は、「水勢１」の流量よりも多い。
【００４２】
ここで、洗浄力を向上させるためには、前述したように、旋回部材２６０の公転周波数を小さくすることが有効である。そして、公転周波数を小さくするためには、第１給水部２５１から旋回室２５９の内部に供給する水の流量をより少なくすることが有効である。しかしながら、旋回室２５９の内部に供給する水の流量をより少なくすると、旋回部材２６０が首振り公転を始めないおそれがあり、洗浄範囲が狭くなるおそれがある。
【００４３】
そこで、本実施形態にかかる衛生洗浄装置１００は、操作部５００からの操作信号により吐水ノズル２５０から水を吐水させる際には、第１給水部２５１から旋回室２５９の内部に供給した水により旋回部材２６０の旋回運動（首振り公転）を開始させ、その後に第１給水部２５１から供給する水の流量を減少させる。より具体的には、制御部２１０は、流量調整切換弁２４０を制御することにより第１給水部２５１から旋回室２５９の内部に水を供給し、その水により旋回部材２６０の旋回運動を開始させる。そして、第１給水部２５１から水を供給して所定時間が経過した後、あるいは所定工程を実行した後、制御部２１０は、流量調整切換弁２４０を制御することにより第１給水部２５１から供給する水の流量を減少させる。
【００４４】
これによれば、旋回部材２６０が旋回運動を開始した後に、制御部２１０は、第１給水部２５１から供給する水の流量を減少させる。この場合であっても、図７〜図９に関して前述したように、旋回部材２６０は、慣性力により旋回運動を続けることができる。そして、これにより、旋回部材２６０の公転周波数を自動的に小さくすることができる。そのため、本実施形態にかかる衛生洗浄装置１００では、洗浄力を向上させることができる。
【００４５】
次に、本実施形態にかかる衛生洗浄装置１００の動作の具体例について、図面を参照しつつ説明する。  
図１１は、本実施形態にかかる衛生洗浄装置の動作の具体例を例示するタイムチャートである。
【００４６】
まず、待機状態から使用者により「おしり洗浄スイッチ」の「入」が押されると（タイムｔ１）、制御部２１０は、吐水ノズル２５０を進出させる前に電磁弁２２０を開いて吐水口２５６、２５７、２５８から水を吐水し、吐水口２５６、２５７、２５８の部分を自ら洗浄する（前洗浄：セルフクリーニング）（タイムｔ１〜ｔ２）。続いて、制御部２１０は、流量調整切換弁２４０をＳＣ（セルフクリーニング：全ポート開放）の位置から「おしり洗浄」の位置に切り換える（タイムｔ２〜ｔ３）。これにより、第１給水部２５１から旋回室２５９の内部に水を供給することが可能となり、吐水口２５６から水を噴射させることが可能となる。
【００４７】
続いて、制御部２１０は、便器８００のボウル８０１内における「おしり洗浄」の所定位置に吐水ノズル２５０進出させる（タイムｔ３〜ｔ５）。このとき、ケーシング２００の内部には、図示しないノズル洗浄室が設けられている。ノズル洗浄室は、ケーシング２００の所定位置に適宜固定され、その内部に設けられた吐水部から水を噴射することにより、吐水ノズル２５０の外周表面（胴体）を洗浄することができる。そこで、制御部２１０は、ノズル洗浄室の吐水部から水を噴射させるため、胴体洗浄電磁弁を「ＯＮ」に設定する（タイムｔ４〜ｔ５）。これにより、吐水ノズル２５０は、外周表面（胴体）を洗浄されつつボウル８０１内に進出する。
【００４８】
続いて、制御部２１０は、流量調整切換弁２４０を制御し、「中」流量の水を第１給水部２５１から旋回室２５９の内部に供給する（タイムｔ５）。このとき、旋回部材２６０は、図７〜図９に関して前述したように、旋回流から力（抗力）を受けて首振り公転し始める。そして、所定時間が経過した後、制御部２１０は、流量調整切換弁２４０を制御し、「少」流量の水を第１給水部２５１から旋回室２５９の内部に供給する（タイムｔ６）。つまり、制御部２１０は、第１給水部２５１から水を供給して所定時間が経過した後、流量調整切換弁２４０を制御することにより第１給水部２５１から供給する水の流量を減少させる（タイムｔ６）。これと略同時に、制御部２１０は、電磁弁２２０を開き、「おしり洗浄」の本洗浄を開始する（タイムｔ６）。
【００４９】
続いて、「おしり洗浄スイッチ」の「止」、あるいは「乾燥スイッチ」の「入」が押されると（タイムｔ７）、制御部２１０は、電磁弁２２０を閉じて「おしり洗浄」の本洗浄を終了する。その後、制御部２１０は、流量調整切換弁２４０を制御し、第１給水部２５１から旋回室２５９の内部に供給する水を停止する（タイムｔ８〜ｔ９）。続いて、制御部２１０は、胴体洗浄電磁弁を「ＯＮ」に設定して吐水ノズル２５０の胴体洗浄を行いつつ（タイムｔ９〜ｔ１０）、吐水ノズル２５０をケーシング２００内に収納する（タイムｔ９〜ｔ１１）。
【００５０】
続いて、制御部２１０は、流量調整切換弁２４０を「おしり洗浄」の位置からＳＣ（セルフクリーニング）の位置に切り換える（タイムｔ１１〜ｔ１２）。そして、制御部２１０は、「前洗浄」の場合と同様に、電磁弁２２０を開いて吐水口２５６、２５７、２５８から水を吐水し、吐水口２５６、２５７、２５８の部分を自ら洗浄する（後洗浄：セルフクリーニング）（タイムｔ１２〜ｔ１３）。その後、衛生洗浄装置１００は、待機状態となる（タイムｔ１３）。
【００５１】
本具体例によれば、制御部２１０は、流量調整切換弁２４０を制御することにより「中」流量の水を第１給水部２５１から旋回室２５９の内部に供給し、所定時間が経過した後、供給する水の流量を「中」流量から「少」流量に切り換える。これにより、旋回部材２６０の公転周波数はより小さくなるため、本具体例の衛生洗浄装置１００は、洗浄力を向上させることができる。
【００５２】
なお、本具体例では、制御部２１０は、旋回部材２６０が旋回運動を開始した後、第１給水部２５１から供給する水の流量を「中」流量から「少」流量に切り換える場合を例に挙げて説明したが、これだけに限定されるわけではない。制御部２１０は、旋回部材２６０が旋回運動を開始した後、供給する水の流量を「多」流量から「少」流量に切り換えてもよい。あるいは、制御部２１０は、旋回部材２６０が旋回運動を開始した後、供給する水の流量を「多」流量から「中」流量に切り換えてもよい。すなわち、本実施形態にかかる衛生洗浄装置１００の動作は、旋回部材２６０の旋回運動を開始させることができる流量の水を供給した後、旋回部材２６０の旋回運動を維持あるいは継続させることができる流量に減少させる限り、本発明の範囲に包含される。
【００５３】
以上説明したように、本実施形態によれば、制御部２１０は、流量調整切換弁２４０を制御することにより第１給水部２５１から旋回室２５９の内部に水を供給し、その水により旋回部材２６０の旋回運動を開始させる。そして、第１給水部２５１から水を供給して所定時間が経過した後、あるいは所定工程を実行した後、制御部２１０は、流量調整切換弁２４０を制御することにより第１給水部２５１から供給する水の流量を減少させる。これにより、旋回部材２６０の公転周波数を自動的に小さくすることができるため、洗浄力を向上させることができる。
【００５４】
次に、本発明の第２の実施の形態について説明する。  
図１２は、本発明の第２の実施の形態にかかる衛生洗浄装置の要部構成を例示するブロック図である。
【００５５】
本実施形態にかかる衛生洗浄装置（吐水装置）１００ｂでは、流量調整切換弁２４０の下流側に第１給水部２５１とは別の第２給水部２５２が設けられている。この第２給水部２５２は、第１給水部２５１と同様に、吐水ノズル２５０ｂの内部に設けられている。制御部２１０は、流量調整切換弁２４０を制御することにより、例えば、第１給水部２５１に導く水の一部を第２給水部２５２に分配し、第１給水部２５１から旋回室２５９の内部に給水する水の流量を減少させることができる。つまり、流量調整切換弁２４０は、下流側に設けられた第１給水部２５１および第２給水部２５２に供給する水の流量や水勢を調整することができる。その他の要部構成については、図２に関して前述した要部構成と同様である。
【００５６】
また、本実施形態にかかる衛生洗浄装置１００ｂを備えるトイレ装置の構造や配置などについては、図１に関して前述したトイレ装置の構造や配置などとそれぞれ同様である。また、本実施形態にかかる衛生洗浄装置１００ｂは、図３に関して前述したように、熱交換器２３０の下流側には、流調弁２８０と、流路・流量比切換弁（流量調整手段）２９０と、が別体として設けられていてもよい。
【００５７】
図１３は、本実施形態の吐水ノズルを側方から眺めた平面模式図である。  
なお、図１３は、本実施形態の吐水ノズル２５０ｂを図４（ｂ）に表した矢視Ｄの方向に眺めた平面模式図に相当する。
【００５８】
本実施形態の吐水ノズル２５０ｂの内部には、図５に表した吐水ノズル２５０に対して、旋回室２５９に接続された第２給水部２５２がさらに設けられている。そして、「おしり洗浄」が実行される場合には、熱交換器２３０から流出した水は、流量調整切換弁２４０を介して第１給水部２５１および第２給水部２５２の少なくともいずれかの内部に導かれ、吐水口２５６から噴射される。その他の構造については、図４および図５に関して前述した吐水ノズル２５０の構造と同様である。
【００５９】
図１４は、本実施形態の吐水ノズルの内部構造を表す断面模式図である。  
また、図１５は、本実施形態の吐水ノズルの内部構造の変形例を表す断面模式図である。  
また、図１６は、本実施形態の吐水ノズルの内部構造を表す断面模式図である。  
なお、図１４および図１５は、本実施形態および変形例の吐水ノズル２５０ｂにおいて、図４（ａ）に表したＡ−Ａ断面図にそれぞれ相当する。また、図１４（ａ）は、旋回部材と旋回室との中心軸が互いに一致している状態を表しており、図１４（ｂ）は、旋回部材と旋回室との中心軸が互いに一致していない状態を表している。  
また、図１６は、本実施形態の吐水ノズル２５０ｂにおいて、図４（ｂ）に表したＢ−Ｂ断面図に相当する。
【００６０】
第２給水部２５２は、図１４（ａ）および（ｂ）に表したように、例えば第１給水部２５１と略並行して設けられ、旋回室２５９の側壁（内周面）２５９ａ（図７〜図９参照）に接続されている。そして、熱交換器２３０から流量調整切換弁２４０を介して第２給水部２５２に導かれた水（洗浄水）は、旋回室２５９の内周面２５９ａに設けられた図示しない流入孔を介して旋回室２５９の内部に流入する。
【００６１】
ここで、第２給水部２５２は、旋回部材２６０の上部、より具体的には貫通孔２６５の部分の近傍の旋回室２５９に接続されている。また、第２給水部２５２は、図１６に表したように、その中心軸Ｃ３と、旋回室２５９の中心軸Ｃ１と、が交差するように設けられている。すなわち、第２給水部２５２は、旋回室２５９をその中心軸Ｃ１の方向に見たときに、旋回室２５９の略中央部に接続されている。そのため、第２給水部２５２から導かれた水は、旋回室２５９に対して接線方向からその内部に流入するわけではない。これにより、第２給水部２５２から導かれた水については、旋回室２５９の内周面２５９ａに沿って旋回する旋回流はほとんど形成されない。
【００６２】
図１６を参照しつつより具体的に説明すると、熱交換器２３０から流量調整切換弁２４０を介して第２給水部２５２に導かれた水は、旋回部材２６０の貫通孔２６５の部分であって旋回室２５９の略中央部に供給される。そして、第２給水部２５２から旋回室２５９に供給された水は、旋回室２５９内に適宜設けられたスペーサ２７５に到達する。このスペーサ２７５は、旋回部材２６０と同様に、その周面（側面）において周方向に等間隔で間欠的に配置された複数の貫通孔２７６を有する。
【００６３】
そのため、スペーサ２７５に到達した水は、スペーサ２７５に形成された貫通孔２７６を通って旋回部材２６０に到達する。そして旋回部材２６０に到達した水は、貫通孔２６５を介して旋回部材２６０の内部に設けられた吐水流路２６６に導かれ、縮径部２６３側の流出孔２６７（先端）から流出する。
【００６４】
このように、第２給水部２５２から旋回室２５９に供給された水は、旋回室２５９の内部において旋回流をほとんど形成せず、吐水口２５６から外部に吐水される。あるいは、第２給水部２５２から供給された水の旋回流の形成に対する寄与度は、第１給水部２５１から供給された水の旋回流の形成に対する寄与度よりも低い。あるいは、第２給水部２５２から供給された水は、第１給水部２５１から供給された水と比較すると旋回流の形成に対して関与し難い。
【００６５】
なお、第２給水部２５２の形成形態は、これだけに限定されず、図１５に表した吐水ノズル２５０ｃの第２給水部２５２ｃのように、旋回室２５９の底面に接続されていてもよい。つまり、第２給水部２５２の形成形態は、旋回流の形成に対する寄与度が第１給水部２５１から供給された水の旋回流の形成に対する寄与度よりも低い限り、適宜変更することができる。なお、その他の内部構造については、図６に関して前述した吐水ノズル２５０の内部構造と同様である。
【００６６】
ここで、本実施形態にかかる衛生洗浄装置１００ｂでは、操作部５００からの操作信号により吐水ノズル２５０から水を吐水させる際には、制御部２１０は、流量調整切換弁２４０を制御することにより第１給水部２５１から旋回室２５９の内部に水を供給し、その水により旋回部材２６０の旋回運動を開始させる。そして、第１給水部２５１から水を供給して所定時間が経過した後、あるいは所定工程を実行した後、制御部２１０は、流量調整切換弁２４０を制御することにより第１給水部２５１から供給する水の一部を第２給水部に分配（供給）する。
【００６７】
これにより、本実施形態にかかる衛生洗浄装置１００は、第１給水部２５１から旋回室２５９の内部に供給した水により旋回部材２６０の旋回運動（首振り公転）を開始させた後、第１給水部２５１から供給する水の流量を減少させることができる。これによれば、旋回部材２６０の公転周波数を自動的に小さくすることができるため、洗浄力を向上させることができる。
【００６８】
さらに、第１給水部２５１から供給する水の一部を、旋回流の形成に対する寄与度が第１給水部２５１よりも低い第２給水部２５２に供給するため、旋回部材２６０の公転周波数を小さくしつつ、吐水口２５６から噴射される水の流量あるいは水勢を変化させることなく維持することができる。すなわち、吐水口２５６から噴射される水の流量あるいは水勢を維持しつつ、旋回部材２６０の公転周波数をより小さくして洗浄力を向上させることができる。
【００６９】
次に、本実施形態にかかる衛生洗浄装置１００ｂの動作の具体例について、図面を参照しつつ説明する。  
図１７は、本実施形態にかかる衛生洗浄装置の動作の具体例を例示するタイムチャートである。
【００７０】
本具体例の動作は、「おしり洗浄」の際の水勢が「水勢１」に設定されている場合の動作である。なお、図１０に関して前述した水勢および流量と同様に、吐水ノズル２５０ｂの吐水口２５６から吐水される水の流量は、「水勢１」から「水勢５」に向かうにつれて多くなり、吐水される水の水勢は、「水勢１」から「水勢５」に向かうにつれて大きくなる。これは、図１８および図１９に関して後述する具体例においても同様である。
【００７１】
まず、待機状態から吐水ノズル２５０ｂの胴体洗浄を終了させるまでの動作（タイムｔ１〜ｔ５）は、図１１に関して前述したタイムｔ１〜ｔ５の動作と同様である。続いて、制御部２１０は、流量調整切換弁２４０を制御し、「水勢１」に基づいた流量の水を第１給水部２５１から旋回室２５９の内部に供給する（タイムｔ５）。このとき、旋回部材２６０は、図７〜図９に関して前述したように、旋回流から力（抗力）を受けて首振り公転し始める。続いて、制御部２１０は、電磁弁２２０を開き、「おしり洗浄」の本洗浄を開始する（タイムｔ６）。
【００７２】
そして、所定時間が経過した後、制御部２１０は、流量調整切換弁２４０を制御し、第１給水部２５１および第２給水部２５２にそれぞれ供給する水の流量の比率（分配比）を切り換える（タイムｔ７）。より具体的には、制御部２１０は、第１給水部２５１から旋回室２５９の内部に水を供給してから所定時間が経過すると、流量調整切換弁２４０を制御することにより第１給水部２５１から供給する水の一部を第２給水部に供給する。つまり、制御部２１０は、第１給水部２５１に供給する水の流量の比率を減少させ、第２給水部２５２に供給する水の流量の比率を増加させる。これにより、制御部２１０は、吐水口２５６から噴射される水の流量を「水勢１」に基づいた流量に維持しつつ、第１給水部２５１から旋回室２５９に供給する水の流量を減少させることができる。
【００７３】
続いて、「おしり洗浄スイッチ」の「止」、あるいは「乾燥スイッチ」の「入」が押されると（タイムｔ７）、制御部２１０は、電磁弁２２０を閉じて「おしり洗浄」の本洗浄を終了する（タイムｔ８）。また、これと略同時に、制御部２１０は、流量調整切換弁２４０を制御し、第１給水部２５１に供給する水の流量の比率を増加させ、第２給水部２５２に供給する水の流量の比率を減少させる（タイムｔ８）。続いて、タイムｔ９〜ｔ１４の動作は、図１１に関して前述したタイムｔ８〜ｔ１３の動作と同様の動作である。
【００７４】
本具体例の動作によれば、第１給水部２５１から旋回室２５９の内部に供給した水により旋回部材２６０の旋回運動を開始させた後、流量調整切換弁２４０を制御することにより第１給水部２５１から供給する水の一部を第２給水部に供給する。これにより、制御部２１０は、第１給水部２５１から供給する水の流量を減少させることができる。これによれば、旋回部材２６０の公転周波数を自動的に小さくすることができるため、洗浄力を向上させることができる。
【００７５】
さらに、制御部２１０は、第１給水部２５１から供給する水の一部を、旋回流の形成に対する寄与度が第１給水部２５１よりも低い第２給水部２５２に供給するため、吐水口２５６から噴射される水の流量あるいは水勢を変化させることなく維持することができる。すなわち、吐水口２５６から噴射される水の流量あるいは水勢を維持しつつ、旋回部材２６０の公転周波数をより小さくして洗浄力を向上させることができる。
【００７６】
なお、本具体例では、制御部２１０は、「おしり洗浄」の本洗浄を開始した（タイムｔ６）後に、流量調整切換弁２４０を制御し、第１給水部２５１および第２給水部２５２にそれぞれ供給する水の流量の比率を切り換える（タイムｔ７）場合を例に挙げて説明したが、これだけに限定されるわけではない。例えば、制御部２１０は、「おしり洗浄」の本洗浄の開始と、第１給水部２５１および第２給水部２５２にそれぞれ供給する水の流量の比率を切り換えと、を同時に行ってもよい。この場合であっても、制御部２１０は、旋回部材２６０の旋回運動を開始させた後、旋回部材２６０の公転周波数を小さくし、洗浄力を向上させることができる。但し、図１７に表したタイムチャートのように、「おしり洗浄」の本洗浄を開始した後に、第１給水部２５１および第２給水部２５２にそれぞれ供給する水の流量の比率を切り換えると、制御部２１０は、旋回部材２６０の旋回運動をより安定化させた後に公転周波数をより小さくすることができるためより好ましい。
【００７７】
図１８は、本実施形態にかかる衛生洗浄装置の動作の他の具体例を例示するタイムチャートである。  
本具体例の動作は、「おしり洗浄」の際の水勢が「水勢５」に設定されている場合の動作である。
【００７８】
まず、待機状態から吐水ノズル２５０ｂの胴体洗浄を終了させるまでの動作（タイムｔ１〜ｔ５）は、図１１に関して前述したタイムｔ１〜ｔ５の動作と同様である。続いて、制御部２１０は、流量調整切換弁２４０を制御し、「水勢１」に基づいた流量の水を第１給水部２５１から旋回室２５９の内部に供給する（タイムｔ５〜ｔ７）。そして、所定時間が経過するとともに「水勢２」、「水勢３」、「水勢４」、および「水勢５」にそれぞれ基づいた流量の水を第１給水部２５１から旋回室２５９の内部に順次供給する（タイムｔ７〜ｔ１４）。つまり、制御部２１０は、吐水ノズル２５０ｂから吐水を開始する場合に、流量調整切換弁２４０を制御することにより、旋回室２５９の内部に供給する水の流量を時間経過とともに増加させる。本願明細書では、この工程を「ソフトスタート」と称する。
【００７９】
この「ソフトスタート（所定工程）」によれば、「水勢５」に基づいた流量の水が吐水開始直後に使用者の「おしり」に噴射されることを抑制することができる。つまり、吐水ノズル２５０ｂの吐水口２５６からの吐水が開始されると、まず、水勢がより小さい「水勢１」に基づいた流量の水が使用者の「おしり」に噴射され、その後、徐々に水勢が大きくなる。そのため、吐水開始直後に水勢のより大きい水が噴射されることにより使用者が不快感を感じることを抑制することができる。また、吐水口２５６から噴射される水の水勢が徐々に大きくなるため、洗浄水の洗浄力は徐々に増加していく。
【００８０】
続いて、吐水口２５６から吐水される水の水勢が設定された水勢（ここでは「水勢５」）に到達すると、制御部２１０は、流量調整切換弁２４０を制御し、第１給水部２５１および第２給水部２５２にそれぞれ供給する水の流量の比率を切り換える（タイムｔ１５）。これにより、制御部２１０は、吐水口２５６から噴射される水の流量を「水勢５」に基づいた流量に維持しつつ、第１給水部２５１から旋回室２５９に供給する水の流量を減少させることができる。また、旋回部材２６０をより確実に旋回運動させることができる。続いて、タイムｔ１６〜ｔ２２の動作は、図１７に関して前述したタイムｔ８〜ｔ１４の動作と同様の動作である。
【００８１】
本具体例の動作によれば、制御部２１０は、第１給水部２５１から旋回室２５９の内部に供給した水により旋回部材２６０の旋回運動を開始させ、「ソフトスタート」を実行した後、流量調整切換弁２４０を制御することにより第１給水部２５１から供給する水の一部を第２給水部に供給する。これによれば、「ソフトスタート」により洗浄力を徐々に増加させることができ、さらに、旋回部材２６０の公転周波数を小さくすることにより洗浄力を向上させることができる。つまり、「ソフトスタート」による洗浄力の増加と、旋回部材２６０の公転周波数を小さくすることによる洗浄力の増加と、の相乗効果により、使用者は、より向上した洗浄感を得ることができる。また、その他の効果についても、図１７に関して前述した効果と同様の効果を得ることができる。
【００８２】
図１９は、本実施形態にかかる衛生洗浄装置の動作のさらに他の具体例を例示するタイムチャートである。  
本具体例の動作は、図１８に関して前述した具体例の同様に、「おしり洗浄」の際の水勢が「水勢５」に設定されている場合の動作である。
【００８３】
まず、タイムｔ１〜ｔ６の動作は、図１７に関して前述したタイムｔ１〜ｔ６の動作と同様の動作である。続いて、制御部２１０は、「水勢１」に基づいた流量の水を第１給水部２５１から旋回室２５９の内部に供給してから所定時間が経過すると、流量調整切換弁２４０を制御し、第１給水部２５１および第２給水部２５２にそれぞれ供給する水の流量の比率を切り換える（タイムｔ７）。つまり、「水勢１」に基づいた流量の水を第１給水部２５１から旋回室２５９の内部に供給すると、旋回部材２６０は旋回流から力を受けて旋回運動を始めるため、制御部２１０は、所定時間が経過した後、第１給水部２５１および第２給水部２５２にそれぞれ供給する水の流量の比率を切り換える（タイムｔ７）。
【００８４】
これにより、制御部２１０は、吐水口２５６から噴射される水の流量を「水勢５」に基づいた流量に維持しつつ、第１給水部２５１から旋回室２５９に供給する水の流量を減少させることができる。続いて、タイムｔ８〜ｔ２２の動作は、図１８に関して前述したタイムｔ７〜ｔ２２の動作と同様の動作である。
【００８５】
本具体例の動作によれば、制御部２１０は、「水勢１」に基づいた流量の水を第１給水部２５１から旋回室２５９の内部に供給することにより旋回部材２６０の旋回運動を開始させた後、「ソフトスタート（所定工程）」の実行中に、流量調整切換弁２４０を制御することにより第１給水部２５１から供給する水の一部を第２給水部に供給する。これによれば、より早いタイミングで旋回部材２６０の公転周波数を小さくすることにより洗浄力を向上させることができる。さらに、制御部２１０は、「ソフトスタート」を実行することにより、洗浄力を徐々に増加させることができる。また、その他の効果についても、図１７に関して前述した効果と同様の効果を得ることができる。
【００８６】
以上説明したように、本実施形態によれば、第１給水部２５１から水を供給して所定時間が経過した後、あるいは所定工程を実行した後、制御部２１０は、流量調整切換弁２４０を制御することにより第１給水部２５１から供給する水の一部を第２給水部に分配（供給）する。これにより、第１給水部２５１から旋回室２５９の内部に供給した水により旋回部材２６０の旋回運動を開始させた後、第１給水部２５１から供給する水の流量を減少させることができる。これによれば、旋回部材２６０の公転周波数を自動的に小さくすることができるため、洗浄力を向上させることができる。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水ノズル２５０、２５０ｂなどが備える各要素の形状、寸法、材質、配置などや旋回部材２６０および把持部２７０の設置形態などは、例示したものに限定されるわけではなく適宜変更することができる。  
また、本発明の吐水装置は、トイレ装置に設置される衛生洗浄装置に限定されるわけではなく、例えば、シャワー装置や、キッチンの水栓装置や、食器洗浄装置や、半導体洗浄装置などの産業用洗浄装置などとして利用可能である。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
１００、１００ａ、１００ｂ 衛生洗浄装置、  ２００ ケーシング、  ２０１ 着座センサ、  ２１０ 制御部、  ２２０ 給水ユニット、  ２２０ 電磁弁、  ２３０ 熱交換器、  ２４０ 流量調整切換弁、  ２５０、２５０ｂ、２５０ｃ 吐水ノズル、  ２５１ 第１給水部、  ２５２、２５２ｃ 第２給水部、  ２５３、２５４ 流路、  ２５６、２５７、２５８ 吐水口、  ２５９ 旋回室、  ２５９ａ 内周面（側壁）、  ２６０ 旋回部材、  ２６１ 大径部、  ２６３ 縮径部、  ２６５ 貫通孔、  ２６６ 吐水流路、  ２６７ 流出孔、  ２７０ 把持部、  ２７５ スペーサ、  ２７６ 貫通孔、  ２８０ 流調弁、  ２９０ 流量比切換弁、  ３００ 便座、  ４００ 便蓋、  ５００ 操作部、  ８００ 便器、  ８０１ ボウル
【図１】
2011074674.tif 000003
【図２】
2011074674.tif 000004
【図３】
2011074674.tif 000005
【図４】
2011074674.tif 000006
【図５】
2011074674.tif 000007
【図６】
2011074674.tif 000008
【図７】
2011074674.tif 000009
【図８】
2011074674.tif 000010
【図９】
2011074674.tif 000011
【図１０】
2011074674.tif 000012
【図１１】
2011074674.tif 000013
【図１２】
2011074674.tif 000014
【図１３】
2011074674.tif 000015
【図１４】
2011074674.tif 000016
【図１５】
2011074674.tif 000017
【図１６】
2011074674.tif 000018
【図１７】
2011074674.tif 000019
【図１８】
2011074674.tif 000020
【図１９】
2011074674.tif 000021